(57)【要約】【課題】映像光は効率よく観察者に提供しつつ、多くの外光を吸収できる構成を有する反射型スクリーンを提供する。【解決手段】映像源（２）から投射された映像光を観察者側に反射させる反射型スクリーン（１０）であって、映像源側とは反対側に突出するように形成される複数の単位プリズム（１６）が配列されるプリズム層（１５）と、プリズム層の背面側に配置される光を吸収する光吸収層（２０）と、を備え、プリズム層の単位プリズムは、スクリーン面に対して傾斜する面である第一傾斜面（１６ａ）及び第二傾斜面（１６ｂ）を有し、第一傾斜面は映像光からの光の少なくとも一部を第二傾斜面に向けて全反射し、第二傾斜面は第一傾斜面からの映像光を観察者側に向けて全反射する。【選択図】図５
2015052641.tif 000002
【特許請求の範囲】
【請求項１】
映像源から投射された映像光を観察者側に反射させる反射型スクリーンであって、
前記映像源側とは反対側に突出するように形成される複数の単位プリズムが配列されるプリズム層と、
前記プリズム層の背面側に配置される光を吸収する光吸収層と、を備え、
前記プリズム層の前記単位プリズムは、
スクリーン面に対して傾斜する面である第一傾斜面及び第二傾斜面を有し、
前記第一傾斜面は前記映像光からの光の少なくとも一部を前記第二傾斜面に向けて全反射し、前記第二傾斜面は前記第一傾斜面からの映像光を前記観察者側に向けて全反射する、
反射型スクリーン。
【請求項２】
前記単位プリズムは稜線が延びる方向に直交する断面が三角形であり、該三角形の斜辺の１つを前記第一傾斜面が形成し、他の斜辺の１つを前記第二傾斜面が形成する、請求項１に記載の反射型スクリーン。
【請求項３】
前記単位プリズムは稜線が延びる方向に直交する断面が四角形であり、該四角形の斜辺の１つを前記第一傾斜面が形成し、他の斜辺の１つを前記第二傾斜面が形成し、さらなる他の１つの辺を形成する面が前記光吸収層に接着されている、請求項１に記載の反射型スクリーン。
【請求項４】
前記第二傾斜面の前記観察者側には、光を拡散して出射する単位光拡散部が、前記第二傾斜面の間隔に対応した間隔を有して複数配置されている請求項１乃至３のいずれか１項に記載の反射型スクリーン。
【請求項５】
映像を出射する映像源と、
前記映像源からの映像光を反射して観察者側に出射する請求項１乃至４のいずれか１項に記載の反射型スクリーンと、を備える反射型映像投射システム。
【発明の詳細な説明】
【技術分野】
【０００１】
本発明は映像源からの光を反射して観察者側に提供するための反射型スクリーン、及びこれを用いた反射型映像投射システムに関する。
【背景技術】
【０００２】
反射型スクリーンは、プロジェクター等の映像源からの投射光を反射させて観察者側に出射するためのスクリーンである。従って反射型スクリーンには、その裏面側に光を反射するための手段が設けられている。例えば特許文献１ではアルミニウム蒸着膜により映像光を反射している。
近年、反射型スクリーンに投射される映像のサイズが大きくなる傾向にあり、明室でも輝度やコントラスト等が向上された良質な映像を表示できる反射型スクリーンが求められている。
【先行技術文献】
【特許文献】
【０００３】
【特許文献１】特開平８−２９８７５号公報
【発明の概要】
【発明が解決しようとする課題】
【０００４】
しかしながら、特許文献１に記載の発明では、映像光のみでなく外光も反射し、その多くが観察者に向けて出射されてしまうので、高いコントラストを得ることが困難であった。
【０００５】
そこで本発明は、上記の問題に鑑み、映像光は効率よく観察者に提供しつつ、多くの外光はコントラスト低下の原因となり難いように制御できる構成を有する反射型スクリーンを提供することを課題とする。また、これを用いた反射型映像投射システムを提供する。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、映像源（２）から投射された映像光を観察者側に反射させる反射型スクリーン（１０）であって、映像源側とは反対側に突出するように形成される複数の単位プリズム（１６）が配列されるプリズム層（１５）と、プリズム層の背面側に配置される光を吸収する光吸収層（２０）と、を備え、プリズム層の単位プリズムは、スクリーン面に対して傾斜する面である第一傾斜面（１６ａ）及び第二傾斜面（１６ｂ）を有し、第一傾斜面は映像光からの光の少なくとも一部を第二傾斜面に向けて全反射し、第二傾斜面は第一傾斜面からの映像光を観察者側に向けて全反射する、反射型スクリーンである。
【０００８】
請求項２に記載の発明は、請求項１に記載の反射型スクリーン（１０）において、単位プリズムは稜線が延びる方向に直交する断面が三角形であり、該三角形の斜辺の１つを第一傾斜面（１６ａ）が形成し、他の斜辺の１つを第二傾斜面（１６ｂ）が形成する。
【０００９】
請求項３に記載の発明は、請求項１に記載の反射型スクリーン（１０）において、単位プリズムは稜線が延びる方向に直交する断面が四角形であり、該四角形の斜辺の１つを第一傾斜面（１６ａ）が形成し、他の斜辺の１つを第二傾斜面（１６ｂ）が形成し、さらなる他の１つの辺を形成する面が光吸収層（２０）に接着されている。
【００１０】
請求項４に記載の発明は、請求項１乃至３のいずれか１項に記載の反射型スクリーン（１０）において、第二傾斜面（１６ｂ）の観察者側には、光を拡散して出射する単位光拡散部（１３）が、第二傾斜面の間隔に対応した間隔を有して複数配置されている。
【００１１】
請求項５に記載の発明は、映像を出射する映像源（２）と、映像源からの映像光を反射して観察者側に出射する請求項１乃至４のいずれか１項に記載の反射型スクリーン（１０）と、を備える反射型映像投射システム（１）である。
【発明の効果】
【００１２】
本発明によれば、映像光を効率よく観察者に提供しつつ、外光はコントラスト低下の原因となり難いように制御され、その結果高いコントラストを有するものとなる。
【図面の簡単な説明】
【００１３】
【図１】第一の形態を説明する図で、反射型映像投射システム１の斜視図である。
【図２】図１にＩＩ−ＩＩで示した線に沿った断面図である。
【図３】背面側から光拡散層１２及びプリズム層１５を見た１つの形態を説明する図である。
【図４】背面側から光拡散層１２及びプリズム層１５を見た他の形態を説明する図である。
【図５】反射型スクリーン１０のうち光拡散層１２及びプリズム層１５の一部を拡大した図である。
【図６】第二の形態を説明する図で、図２に相当する図である。
【図７】第三の形態を説明する図で、図５に相当する図である。
【発明を実施するための形態】
【００１４】
本発明の上記した作用及び利得は、次に説明する発明の形態から明らかにされる。以下、本発明を図面に示す形態に基づき説明する。ただし、本発明はこれら形態に限定されるものではない。なお、以下に説明する反射型スクリーンに形成される形状は実際には非常に微小なものであるため、以下に示す各図では見易さのため各形状を概念的に誇張、変形して表している。また、図面において繰り返しとなる符号はその一部のみに符号を付して他は省略することがある。
【００１５】
図１は１つの形態を説明する図で、反射型映像投射システム１の斜視図である。図２には図１にＩＩ−ＩＩで示した線に沿った断面図を表した。図１、図２からわかるように、反射型映像投射システム１は、映像源２及び反射型スクリーン１０を備えている。以下にそれぞれについて説明する。
【００１６】
映像源２は、反射型スクリーン１０に向けて映像光を投射する装置であり、公知のプロジェクター等を用いることができる。図１、図２からわかるように本形態では、映像源２は反射型スクリーン１０の画面中央より下方側で、該反射型スクリーン１０に近い位置で斜めから映像光を反射型スクリーン１０に向けて投射する。
このように、反射型スクリーン１０に対して斜めに映像光を投射すると、反射型スクリーン１０のスクリーン面の法線方向（以下単に「法線方向」と記載することがある。）における反射型スクリーン１０と映像源２との距離を短くできる。そしてこれによって講演者等が映像源２よりも観察側に立って解説等ができるので、講演者等が移動しながら解説するような場合でも映像源から出射された映像光を遮ることがない。
【００１７】
反射型スクリーン１０は、全体として矩形の薄いシート状であり、使用時には展開されてスクリーン面が鉛直方向（図１の紙面上下方向）に立てられるように設置される。なお、使用時において反射型スクリーン１０の平面性を確保するため、反射型スクリーン１０は所定の剛性を有する不図示の支持手段に粘着剤等により貼り付けられていることが好ましい。支持手段としては板やシート状の部材を挙げることができるが、反射型スクリーン１０の姿勢を維持することができれば特に限定されることはない。また、支持手段として柔軟性を有するものを用い、使用していないときには反射型スクリーン１０とともにロール状に巻いてコンパクトにすることができてもよい。
そして反射型スクリーン１０は展開の姿勢で、映像源２から投射された映像光を観察者Ａ（図１、図２参照）の側に反射して出射することによりスクリーンとして機能する。
【００１８】
図２からわかるように、本形態の反射型スクリーン１０は、基材層１１、光拡散層１２、プリズム層１５、光吸収層２０、及び表面機能層２１を備えている。以下、各々について説明する。
【００１９】
本形態における基材層１１は、光拡散層１２、プリズム層１５、及び表面機能層２１の基材となるシート状の層で、所定のコシを有するとともに透光性が高く形成されている。このようなものであれば特に限定されることはないが、基材層１１を構成する材料として例えばポリエチレンテレフタレート（ＰＥＴ）、ポリカーボネート（ＰＣ）、メチルメタクリレート・ブタジエン・スチレン（ＭＢＳ）、アクリル系、トリアセチルセルロース（ＴＡＣ）等の各樹脂を挙げることができる。本形態は、入手性や取り扱い容易性、成形性、及び価格等の観点からＭＢＳを用いている。基材層１１の厚さは特に限定されることはなく、強さ（コシ）と巻き取りや巻き戻しとの兼ね合いから１００μｍ以上３００μｍ以下であることが好ましい。
【００２０】
光拡散層１２は、ここに入射した光を拡散して出射する層である。本形態では、光拡散層１２は、透光性樹脂中に、該透光性樹脂とは屈折率が異なる多数の光拡散粒子を含有させてなる層である。この屈折率の差により光拡散層１２の内部で多数の屈折や全反射が起こり、光が拡散する。
【００２１】
透光性樹脂に用いられる樹脂としては、光拡散粒子の分散ができるとともに、該光拡散粒子を保持可能である光透過性の樹脂であれば特に制限なく適用可能である。このような樹脂としては、ポリアミド系樹脂、ポリウレタン系樹脂、ポリエステル系樹脂、アクリル系樹脂等の熱可塑性樹脂や、熱硬化性樹脂、活性エネルギー線硬化型樹脂（電離放射線硬化樹脂）等が挙げられる。
【００２２】
一方、光拡散粒子としては、アクリル−スチレン共重合体、ポリメチルメタクリレート、ポリスチレン、ポリウレタン、ベンゾグアナミン、及びメラミン等の架橋有機微粒子、シリコーン等の樹脂微粒子、並びにシリカ、アルミナ及びガラス等の無機系微粒子等を用いることができる。
【００２３】
さらに光拡散層１２は、図２からよくわかるように、後述する単位プリズム１６のうち、正面視で第二傾斜面１６ｂの位置に合わせて配置されている。従って、光拡散層１２では、隣り合う第二傾斜面１６ｂの間隔に対応して、光拡散層１２も間隔を有した単位光拡散部１３が配列されている。すなわち、光拡散層１２は、複数の単位光拡散部１３が単位プリズム１６のピッチに対応したピッチで間隔を有して配列されて構成されている。これにより映像光を効率よく観察者側に反射するとともに、視野角を拡大することができる。詳しくは後で説明する。
なお、光拡散層１２の光拡散特性は等方的であってもよく、異方性（指向性）を有するものであってもよい。等方的であれば正面側において全方位に亘って視野角を確保することができる。一方、例えば水平方向には広く、垂直方向には狭い異方性の特性とすれば、スクリーン面の法線方向に進む光の量が増えるので、当該法線方向から見たときに明るい反射型スクリーンになる。
【００２４】
プリズム層１５は、基材層１１のうち映像源２側とは反対側（背面側）に突出するように設けられた単位プリズム１６が複数配列されてなる層である。図３には、プリズム層１５及び光拡散層１２を背面側から見た図を示した。図３からわかるように、本形態では複数の単位プリズム１６はいわゆるサーキュラー形状を基準としており、各単位プリズム１６の稜線が円弧状に延び、複数の単位プリズム１６は同心円状に並べられている。本形態では同心円の中心はスクリーンより下方で、スクリーン左右方向の中央となる位置にある。
【００２５】
本形態ではこのようにサーキュラー形状である例を示したが、本発明はこれに限定されることなく単位プリズム１６の稜線が水平に直線状に延びる形態であってもよい。図４には単位プリズム１６の稜線が直線状である例を示した。図４は図３と同じ視点によるものである。図４に示した例では、単位プリズム１６の稜線が水平に延び、該稜線が延びる方向に直交する方向である鉛直方向に単位プリズム１６が配列されている。
【００２６】
図２には単位プリズム１６の稜線が延びる方向に直交する断面が表れており、本形態では単位プリズム１６はこの断面において三角形となる部位を有する。そして単位プリズム１６は当該三角形のうちの２つの斜辺を形成する第一傾斜面１６ａ及び第二傾斜面１６ｂを備えている。図５には図２のうち光拡散層１２、プリズム層１５、及び光吸収層２０に注目してその一部を拡大した図を示した。
【００２７】
第一傾斜面１６ａ、第二傾斜面１６ｂはプリズム層１５の背面側に存する屈折率が低い物質に接触して界面を形成している。本形態ではプリズム層１５と光吸収層２０との間に間隙が設けられており、第一傾斜面１６ａ、第二傾斜面１６ｂは空気と接して界面を形成する。空気は屈折率が小さいので、当該界面で大きな屈折率差を得やすく、全反射することができる光が多くなる点で有利である。ただし、反射型スクリーンの設計の観点から、当該屈折率差を小さくする必要がある等の事情があれば、第一傾斜面１６ａ及び第二傾斜面１６ｂに低屈折率の樹脂を積層して屈折率差を調整することができる。
【００２８】
第一傾斜面１６ａは、単位プリズム１６のうち映像源２側に配置される傾斜面であり、図５に表したようにシート面に沿った方向に対して角度αで傾斜している。一方、第二傾斜面１６ｂは、単位プリズム１６のうち、第一傾斜面１６ａよりも映像源２から離隔した側に配置され、シート面に沿った方向に対して角度βで傾斜している。角度α、角度βの具体的な値は後述する作用を実現できる範囲において適宜設定される。詳しくは後で光路例を示しつつ説明する。
【００２９】
また、単位プリズム１６のピッチは１０μｍ以上２００μｍ以下であることが好ましい。単位プリズム１６のピッチは小さすぎると、光の回折が生じ、虹色が視認されたりして好ましくなく、またピッチが大きすぎると、単位プリズム１６の１つ１つが区別されて視認されることがあり外観上好ましくない。
【００３０】
プリズム層１５をなす材料は特に限定されることはないが、反射型スクリーン用の材料として広く使用され、優れた機械的特性、光学特性、安定性及び加工性等を有するとともに安価に入手可能な材料を用いることが好ましい。これには例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）を挙げることができる。
【００３１】
光吸収層２０は、プリズム層１５の背面側に配置された層であり、光を吸収する機能を有している。このような光吸収層２０は黒色等の暗色系の塗料、顔料、染料、及び光吸収作用を有するビーズ等を含有する熱硬化型樹脂、又は紫外線硬化樹脂により形成することができる。本形態では、光吸収層２０は黒色顔料を含む樹脂により形成されている。
【００３２】
表面機能層２１は、基材層１１より映像源２側に設けられる層である。この表面機能層２１は、反射防止機能、防眩機能、紫外線吸収機能、防汚機能、及び帯電防止機能等のうちのいずれか、又は複数の機能を有するように形成することができる。このような機能を具備させるための手段は公知の方法を適用することができる。例えば防汚機能及び耐擦傷機能を有するために、基材層１１の映像源２側にハードコート機能を有するウレタンアクリレート等の電離放射線硬化型樹脂を厚さ２０μｍ程度で形成する。
【００３３】
以上のような構成を備える反射型スクリーン１０は、公知の方法により作製することができる。例えば、基材層１１の一方に光拡散層１２を賦形して形成し、さらにその上からプリズム層１５を賦形する。そして基材層１１の他方に表面機能層２１を積層する。そしてプリズム層１５のうち基材層１１とは反対側に光吸収層２０とを配置し、両者の４辺を固定する。または、四辺を固定することなく、上辺のみ固定して両者を吊るす等して保持してもよい。
【００３４】
次に、反射型映像投射システム１において、反射型スクリーン１０の作用を光路例を示しつつ説明する。また、この中で上記説明した構成のさらに好ましい態様を説明する。反射型スクリーン１０に入射する光の進路について図５に示した光路例Ｌ１、Ｌ２、Ｌ３を例に説明する。ただし、図に表した光路例は概念的に光の進路を表したものであり、屈折の程度や反射の角度を精密に表したものではない。
【００３５】
映像源２から投射された映像光Ｌ１は、反射型スクリーン１０の下方から入射し、表面機能層２１及び基材層１１を透過してプリズム層１５の単位プリズム１６に入射する。そして、図５に示すように映像光Ｌ１は、単位プリズム１６の第一傾斜面１６ａに達し、全反射して第二傾斜面１６ｂに向かうように向きが変えられる。すなわち、第一傾斜面１６ａにより、シート面に沿った方向に向きが変えられる。
次に、第二傾斜面１６ｂに達した映像光Ｌ１はここでも全反射して法線方向に近付けられ観察者側に進むように向きが変えられる。そして、光拡散層１２の単位光拡散部１３で拡散されて観察者に到達する。このように光が拡散されることにより視野角が広げられ広い範囲で映像を認識することができる。
【００３６】
一方、映像光以外の光である外光（照明からの光等）Ｌ２、Ｌ３は次の通りである。外光はこの他にもあらゆる角度から反射型スクリーン１０に入射する可能性があるが、その中でも天井照明からの光（外光Ｌ２）が最も主要な光であると考えられる。また、窓等からの外光もあることから正面からの光（外光Ｌ３）も考慮する。
【００３７】
外光Ｌ２は天井照明からの外光を想定しており、反射型スクリーン１０の斜め上方から反射型スクリーン１０に入射する。外光Ｌ２は反射型スクリーン１０の斜め上方から入射し、表面機能層２１及び基材層１１を透過してプリズム層１５の単位プリズム１６に入射する。そして、図５に示すように外光Ｌ２は、単位プリズム１６の第一傾斜面１６ａに達する。しかし外光Ｌ２はその入射角度の性質上界面を透過して光吸収層２０に達してここで吸収される。従って外光Ｌ２は観察者側には到達せずコントラストの低下の原因にならない。
【００３８】
外光Ｌ３、又は天井照明から反射型スクリーン１０に入射した光のうち単位光拡散部１３に達した外光は、ここで拡散されて裏面方向に進行するが、単位光拡散部１３で拡散されており、様々な角度で、第一傾斜面１６ａ、第二傾斜面１６ｂに達する。これらのうち、第一傾斜面１６ａ及び第二傾斜面１６ｂで全反射して観察者に戻る光は少ない。その多くは、図５に示したように第一傾斜面１６ａ、第二傾斜面１６ｂを透過して光吸収層２０で吸収される。また、図５にも示したように第一傾斜面１６ａ及び第二傾斜面１６ｂで全反射して観察者側に戻っても、反射型スクリーン１０の法線方向に対して、斜め下方向に大きな角度で進行するので、観察者には到達しない。従って反射型スクリーン１０に入射する外光の多くは観察者には到達しないので、投影された画像のコントラストが低下せず、高コントラストの映像を得ることができる。
【００３９】
以上のように作用する反射型スクリーン１０では、映像光はできるだけ拡散させることなく第一傾斜面１６ａに到達させて全反射させることが好ましい。従って光拡散層１２の単位光拡散部１３は、図３、図４にも表れているように反射型スクリーン１０の正面視で第二傾斜面１６ｂと重なる位置にのみ配置されることが好ましい。また、第二傾斜面１６ｂと単位光拡散部１３との距離も可能な限り近いことが好ましい。これにより映像源２から投射された映像光が直接単位光拡散部１３に入射される程度を低く抑えることができる。より具体的には、図５にも表れているように、単位光拡散部１３の一端型表面が第二傾斜面１６ｂの谷側の端部と接するように配置されることが好ましい。
【００４０】
また、上記した角度α、角度βは以上のように作用すれば特に限定されることはないが、例えば次のように考えることもできる。
映像源２から投射された映像光が図５に示すように反射型スクリーン１０の法線に対してθ（°）の角度で単位プリズム１６に入射すると、第一傾斜面１６ａでこの映像光が反射型スクリーン１０の面に平行である方向に向きが変えられる全反射をするためには、単位プリズム１６を形成している材質の屈折率がＮのとき、角度α（°）は
α＝（９０°−ＡＲＣＳＩＮ（（ＳＩＮθ)／Ｎ））/２
が成り立つようにすればよい。
【００４１】
また、第一傾斜面１６ａで反射型スクリーン１０に平行に向きが変えられたこの映像光を、第二傾斜面１６ｂで反射型スクリーン１０の法線方向に向きを変えさせるには、βを４５°とすればよい。
【００４２】
より具体的な例示として、一般に斜め下方から投射する映写機の場合、プリズム層１５への入射角度であるθは３０°以上８０°以下であるので、Ｎを１．５５とすると、αは２５．３°以上３５．６°以下の範囲で設定すればよい。このときに、第一傾斜面１６ａにおける映像光の入射角は、５４．４°以上６４．７°以下であり、空気（屈折率１）との界面を考えたときの臨界角（ＡＲＣＳＩＮ（１/Ｎ））＝４０．１８°）より大きい。従って、このとき映像光が全反射することは明らかである。また第二傾斜面１６ｂにおける入射角は４５°で一定で、これも臨界角より大きいのでここでも全反射することは明らかである。
【００４３】
以上のように反射型スクリーン１０によれば、映像光は効率よく観察者側に提供され、外光の多くは観察者の目には届かないように吸収、出射されるのでコントラストを低下させる原因にはならず、その結果高いコントラストとすることができる。
【００４４】
図６には、第二の形態を説明する図で、図２に相当する図を示した。第二の形態では反射型スクリーン１１０が適用されている。反射型スクリーン１１０は、光拡散層１１２が基材層１１のうち観察者側の面に積層され、空気層を介して表面機能層２１が設けられている例である。従って、本形態では基材層１１を挟んで観察者側に光拡散層１１２、裏面側にプリズム層１５が設けられている。
この形態によれば、光拡散層１１２の単位光拡散部１１３において、観察者側の表面に微小な凹凸を形成しこれを光拡散手段とすることができる。表面の微小な凹凸による拡散は上記した単位光拡散部１３に比べてより広い範囲に光を拡散をさせることができる。
単位光拡散部１１３の表面に微小な凹凸を形成する手段は公知の通りである。例えば含有させた粒子の一部を観察者側に突出させる方法等を挙げることができる。
【００４５】
光拡散層１１２についても、正面視における配置及び第二傾斜面１６ｂとの距離の好ましい形態は光拡散層１２と同様である。従って、光拡散層１１２と第二傾斜面１６ｂとの距離を小さくする観点から基材層１１はできるだけ薄いことが好ましい。このように薄い基材１１に微小なプリズム層１５や光拡散層１１２を形成するには、あらかじめ薄い基材層１１と厚い基材を粘着層で貼り合せておき、プリズム層１５又は光拡散層１１２を形成した後に厚い基材から薄い基材層１１を剥離する。これにより、プリズム層１５又は光拡散層１１２を形成するときに、薄い基材層１１に反りやゆがみ等の形状の変形が生じ難く、好ましい。
【００４６】
図７には、第三の形態を説明する図で、図５に相当する図を示した。第三の形態では反射型スクリーン２１０が適用されている。反射型スクリーン２１０は、プリズム層２１５において、単位プリズム２１６の第一傾斜面１６ａ及び第二傾斜面１６ｂが形成する稜線間を平らに形成した例である。従って、単位プリズム１６が三角形の断面を有していたのに対し、単位プリズム２１６では、背面側を短い上底、観察者側を長い下底とする台形断面を有する。そして台形の脚部を構成する面が第一傾斜面１６ａ、第二傾斜面１６ｂである。ただし、第一傾斜面１６ａ及び第二傾斜面１６ｂの形態の考え方は上記と同じである。
【００４７】
反射型スクリーン２１０によれば、図７にも表れているように、台形断面における上底部で光吸収層２０に対して粘着材や接着材で貼り合わせることができる。これにより、４辺のみを固定して一体化することに比べ、反射型スクリーン２１０を全体としてより強く一体化することができる。全体として薄くすれば、巻き上げ式の反射型スクリーンにしやすくなる。一方、全体として厚くすれば平面性よく保持することができる。
【符号の説明】
【００４８】
１    反射型映像投射システム
２    映像源
１０、１１０、２１０  反射型スクリーン
１１  基材層
１２  光拡散層
１５  プリズム層
２０  光吸収層
２１  表面機能層
【図１】
2015052641.tif 000003
【図２】
2015052641.tif 000004
【図３】
2015052641.tif 000005
【図４】
2015052641.tif 000006
【図５】
2015052641.tif 000007
【図６】
2015052641.tif 000008
【図７】
2015052641.tif 000009